(57)【要約】【課題】ポンチの絞り加工降下時に、ブランクをポンチと加工用穴部内の液体とで適正圧力で挟圧した状態でプレス絞り加工を行うことができ、ブランクの割れ、しわ、絞り傷の発生を抑制することができ、複雑な形状の絞り加工を行うことができる。【解決手段】ブランクの上面を押圧可能なブランクホルダー２を上下動自在に設け、ブランクホルダーにポンチ挿通穴部３を設け、ポンチ挿通穴部にブランクを絞り加工可能なポンチを上下動作自在に設けてなる上型装置１と、ブランクの底面を載置可能なダイス６を固定的に配置し、ダイスに絞り加工用穴部７を設けてなる。【選択図】図１
2006035273.tif 000002
【特許請求の範囲】
【請求項１】
ブランクの上面を押圧可能なブランクホルダーを上下動自在に設け、該ブランクホルダーにポンチ挿通穴部を設け、該ポンチ挿通穴部に該ブランクを絞り加工可能なポンチを上下動作自在に設けてなる上型装置と、該ブランクの底面を載置可能なダイスを固定的に配置し、該ダイスに絞り加工用穴部を設けてなる下型装置との協動によりプレス絞り加工を行うに際し、上記ブランクを上記ポンチと該加工用穴部内の液体とで適正圧力で挟圧した状態でプレス絞り加工をなすことを特徴とするプレス絞り加工方法。
【請求項２】
請求項１記載のプレス絞り加工方法により流し台用のシンクを加工するに際し、該シンクの深さ、該シンクのコーナー半径及びシンクの板厚をそれぞれｄ、ｒ及びｔとしたとき、下記（ａ）〜（ｄ）の関係式
３＜（ｄ／ｒ）＜５・・・・・・（ａ）
１５０ｍｍ≦ｄ≦２１０ｍｍ・・（ｂ）
４０ｍｍ＜ｒ・・・・・・・・・（ｃ）
０．５ｍｍ≦ｔ≦１．２ｍｍ・・（ｄ）
を満足することを特徴とする流し台用シンクのプレス絞り加工方法。
【請求項３】
上記シンクの材質は、ＪＩＳ  Ｇ  ４３０５  ＳＵＳ３０４であることを特徴とする請求項２記載のプレス絞り加工方法。
【請求項４】
ブランクの上面を押圧可能なブランクホルダーを上下動自在に設け、該ブランクホルダーにポンチ挿通穴部を設け、該ポンチ挿通穴部に該ブランクを絞り加工可能なポンチを上下動作自在に設けてなる上型装置と、該ブランクの底面を載置可能なダイスを固定的に配置し、該ダイスに絞り加工用穴部を設けてなる下型装置とからなり、上記下型装置にシリンダを上下動自在に設け、上記絞り加工用穴部及び該シリンダにより液体を封入可能な液圧室を設け、上記ポンチの絞り加工降下時に上記ブランクを上記ポンチと該加工用穴部内の液体とで適正圧力で挟圧した状態で上記シリンダの降下を許容するクッション機構を設けてなることを特徴とするプレス絞り加工金型装置。
【請求項５】
上記クッション機構は液体シリンダ構造からなることを特徴とする請求項４記載のプレス絞り加工金型装置。
【発明の詳細な説明】
【技術分野】
【０００１】
本発明は例えばステンレス流し台の天板やシンク等のプレス絞り加工に用いられるプレス絞り加工方法及びその金型装置に関するものである。
【背景技術】
【０００２】
近年、この種の流し台用シンクにあっては、例えば、都市型マンションやキッチンのリフォーム等において、システムキッチンなどの高級流し台を設置する場合、調理スペースを広く確保するため、設置スペースの制約を受けることが多くあり、又、最近では食器洗い乾燥機が天板の下部に組み込まれ、シンク下のキャビネット部分が必然的に狭くなることなどから、シンクの小型化が強く望まれている。
【０００３】
従来、この種のステンレス流し台のシンク等の絞り加工にあっては、材料の絞り性及び張出し性並びに割れ、しわ、絞り傷の発生などの観点から、例えば、図４から図７の如く、シンクＷのコーナー半径ｒの小径化に際し、一回で深絞り加工を行うことが困難であるため、複数回に分けて段階的に絞り加工を行ったり、絞り工程の途中に焼鈍工程を行ったりしている。
【特許文献１】特開２００１−４７１４２号公報
【特許文献２】特開平７−１３２３３０号公報
【発明の開示】
【発明が解決しようとする課題】
【０００４】
しかしながら上記従来のプレス絞り加工方法の場合、複数回に亙る絞り加工や焼鈍工程を必要とするため、加工生産性が低下し易いと共に半製品受け渡しのための付随設備も必要となり、それだけ設備コストが高騰すると装置の大きな設置スペースを必要とすることがあり、又、液圧式にあっては、下型装置に大きな液圧室を形成し、かつ、上記液圧室の内圧を圧力調節弁を含む液圧回路構造が必要となり、それだけ、装置全体が複雑化し、製作コストの高騰を招くことがあるという不都合を有している。
【課題を解決するための手段】
【０００５】
本発明はこれらの不都合を解決することを目的とするもので、本発明のうちで、請求項１記載の方法の発明は、ブランクの上面を押圧可能なブランクホルダーを上下動自在に設け、該ブランクホルダーにポンチ挿通穴部を設け、該ポンチ挿通穴部に該ブランクを絞り加工可能なポンチを上下動作自在に設けてなる上型装置と、該ブランクの底面を載置可能なダイスを固定的に配置し、該ダイスに絞り加工用穴部を設けてなる下型装置との協動によりプレス絞り加工を行うに際し、上記ブランクを上記ポンチと該加工用穴部内の液体とで適正圧力で挟圧した状態でプレス絞り加工をなすことを特徴とするプレス絞り加工方法にある。
【０００６】
又、請求項２記載の方法の発明は、プレス絞り加工方法により流し台用のシンクを加工するに際し、該シンクの深さ、該シンクのコーナー半径及びシンクの板厚をそれぞれｄ、ｒ及びｔとしたとき、下記（ａ）〜（ｄ）の関係式
３＜（ｄ／ｒ）＜５・・・・・・（ａ）
１５０ｍｍ≦ｄ≦２１０ｍｍ・・（ｂ）
４０ｍｍ＜ｒ・・・・・・・・・（ｃ）
０．５ｍｍ≦ｔ≦１．２ｍｍ・・（ｄ）
を満足することを特徴とする流し台用シンクのプレス絞り加工方法にある。
【０００７】
又、請求項３記載の方法の発明は、上記シンクの材質は、ＪＩＳ  Ｇ  ４３０５  ＳＵＳ３０４であることを特徴とするものである。
【０００８】
又、請求項４記載の装置の発明は、ブランクの上面を押圧可能なブランクホルダーを上下動自在に設け、該ブランクホルダーにポンチ挿通穴部を設け、該ポンチ挿通穴部に該ブランクを絞り加工可能なポンチを上下動作自在に設けてなる上型装置と、該ブランクの底面を載置可能なダイスを固定的に配置し、該ダイスに絞り加工用穴部を設けてなる下型装置とからなり、上記下型装置にシリンダを上下動自在に設け、上記絞り加工用穴部及び該シリンダにより液体を封入可能な液圧室を設け、上記ポンチの絞り加工降下時に上記ブランクを上記ポンチと該加工用穴部内の液体とで適正圧力で挟圧した状態で上記シリンダの降下を許容するクッション機構を設けてなることを特徴とするプレス絞り加工金型装置にある。
【０００９】
又、請求項５記載の発明は、上記クッション機構は液圧シリンダ構造からなることを特徴とするものである。
【発明の効果】
【００１０】
本発明は上述の如く、請求項１又は４記載の発明にあっては、上記ポンチの絞り加工降下時に、ブランクを上記ポンチと加工用穴部内の液体とで適正圧力で挟圧した状態でプレス絞り加工を行うことができ、ブランクの割れ、しわ、絞り傷の発生を抑制することができ、複雑な形状の絞り加工を行うことができ、例えば、コーナー半径の小さなシンクを焼鈍せずに一回若しくは多くとも二回の絞り加工で絞ることができ、それだけ、加工生産性を高めることができ、半製品受け渡しのための付随設備も必要となり、設備コストの低減及び設置スペースの省スペース化を図ることができる。
【００１１】
又、請求項２記載の方法の発明にあっては、プレス絞り加工方法により流し台用のシンクを加工するに際し、該シンクの深さ、該シンクのコーナー半径及びシンクの板厚をそれぞれｄ、ｒ及びｔとしたとき、下記（ａ）〜（ｄ）の関係式
３＜（ｄ／ｒ）＜５・・・・・・（ａ）
１５０ｍｍ≦ｄ≦２１０ｍｍ・・（ｂ）
４０ｍｍ＜ｒ・・・・・・・・・（ｃ）
０．５ｍｍ≦ｔ≦１．２ｍｍ・・（ｄ）
を満足するように形成しているので、小さなコーナー半径のシンクを製作することができ、それだけ、シンクの小型化の要請及びこれに相反するシンクの内容積の確保及び底面積の維持拡大の要望に十分応えることができると共にスクエアー感のある斬新なデザイン感を感得し得るシンクを製作することができ、さらに、これら関係式を満足する限りにおいて、複数回に分けて段階的に絞り加工したり、焼鈍せずに、一回若しくは多くとも二回のプレス絞り加工により製作することができ、それだけ、製作を容易に行うことができて製作コストの低減を図ることができる。
【００１２】
又、請求項３記載の発明にあっては、上記シンクの材質として、ＪＩＳ  Ｇ  ４３０５  ＳＵＳ３０４を用いることにより、固有の材質の特性から、例えば、矩形、異形と称されるような形態が複雑なシンクを焼鈍せずに一回若しくは多くとも二回のプレス絞り加工により容易に製作することができる。
【００１３】
又、請求項５記載の発明にあっては、上記クッション機構は液圧シリンダ構造からなるので、クッション機構の構造を簡素化することができると共に挟圧力の制御を容易に行うことができる。
【発明を実施するための最良の形態】
【００１４】
図１乃至図９は本発明の実施の形態例を示し、図１乃至図８は第一形態例、図９は第二形態例である。
【００１５】
図１乃至図８の第一形態例においては、流し台のシンクＷの絞り加工に適用したもので、１は上型装置であって、図示省略の油圧シリンダ等により上下昇降するスライドに取り付けられ、シンクＷとなるＳＵＳ３０４やＳＵＳ４０３のステンレス鋼からなるブランクＷの上面を押圧可能なブランクホルダー２を備えてなり、このブランクホルダー２にポンチ挿入穴部３を形成し、かつ、このポンチ挿入穴部３にブランクＷを絞り加工可能なポンチ４を油圧シリンダ等によりブランクホルダー２とは独立して上下動作自在に設けて構成している。
【００１６】
５は下型装置であって、上記ブランクＷの底面を載置可能なダイス６を固定的に配置してなり、このダイス６に絞り加工用穴部７を設けて構成している。
【００１７】
８はクッション機構であって、この場合、ダイス６をダイホルダー９に液密に取り付け、ダイホルダー９内にシリンダ孔１０を形成し、シリンダ孔１０にシリンダ１１を液密に上下摺動自在に設け、絞り加工用穴部７及びシリンダ１１により液体Ｌ、この場合水を封入可能な液圧室Ｅを形成し、このシリンダ１１の下方に液圧シリンダ機構１２、この場合油圧シリンダ機構を配設し、ロッド１２ａ及びシリンダ部１２ｂからなる液圧シリンダ機構１２のロッド１２ａ上にクッションパッド１３を配置し、クッションパッド１３とシリンダ１１の間にクッションピン１４を介在し、シリンダ部１２ｂに図示省略の圧力制御部を接続し、ポンチ４の絞り加工降下時にブランクＷをポンチ４と加工用穴部７内の液体Ｌとで適正圧力で挟圧した状態でシリンダ１１の降下を許容するように構成している。
【００１８】
又、シンクＷのブランクの材質としては、一般的な流し台に用いられ、シンクの形態が単純な長方形状のものに用いられるフェライト系のＪＩＳ  Ｇ  ４３０５  ＳＵＳ４３０［ＳＵＳ４３０ＳＵＳ４３０（１８％Ｃｒ）］やシステムキッチンなどの高級流し台に用いられ、矩形、異形と呼ばれるシンクの形態が複雑な形状をしているものに用いられるオーステナイト系のＪＩＳ  Ｇ  ４３０５  ＳＵＳ３０４［ＳＵＳ４３０ＳＵＳ３０４（１８％Ｃｒ−８％Ｎｉ）］の二種類のステンレス鋼が用いられ、その他、抗菌性や絞り性をよくするためにＣｕを添加した材質（ＳＵＳ３０４Ｊ１）なども用いられる。
【００１９】
これらシンクＷは、上型装置及び下型装置の協動によりプレス絞り加工により製作され、例えば、縁部Ｗ1、槽部Ｗ2、接続口部Ｗ3及び栓用口部Ｗ4が形成される。
【００２０】
そして、この場合、図４乃至図７の如く、シンクの深さ（上面から外底面まで）、シンクのコーナー半径及びシンクの板厚をそれぞれｄ、ｒ及びｔとしたとき、下記（ａ）〜（ｄ）の関係式
３＜（ｄ／ｒ）＜５・・・・・・（ａ）
１５０ｍｍ≦ｄ≦２１０ｍｍ・・（ｂ）
４０ｍｍ＜ｒ・・・・・・・・・（ｃ）
０．５ｍｍ≦ｔ≦１．２ｍｍ・・（ｄ）
を満足するように形成されている。
【００２１】
すなわち、図８に示す斜線領域内の関係を満足するように製作されている。
【００２２】
ここに、シンク深さｄを１５０ｍｍ≦ｄ≦２１０ｍｍとしているのは、一般的にシンクの深さは、浅いもので１５０ｍｍ、深いものでも２１０ｍｍであるからであり、又、４０ｍｍ＜ｒとしたのは、コーナー半径ｒが４０ｍｍ以下になると清拭が厄介となるので使用の手入れ性を考慮したものであり、又、０．５ｍｍ≦ｔ≦１．２ｍｍとしたのは、板厚が０．５ｍｍ以下になると材料強度に問題が起きるおそれがあると共に多くても二回のプレス絞り加工で絞り成形をしようとすると割れの発生が起こり易くなり、１．２ｍｍ以上になると、材料の流れの点から深く絞れないことがあるからである。
【００２３】
したがって、上記（ｂ）・（ｃ）・（ｄ）の関係式の条件下において、上記（ａ）の３＜（ｄ／ｒ）＜５の関係式を満足する限りにおいて、焼鈍せずに一回若しくは多くとも二回のプレス絞り加工により、シンクＷの製作は可能となる。即ち、（ｄ／ｒ）が３以下になるとコーナー半径ｒが大きくなって所期の目的が達成できず、（ｄ／ｒ）が５以上になると、焼鈍せずに一回若しくは二回でのプレス絞り加工の限界だからである。
【００２４】
この実施の第一形態例は上記構成であるから、図１の如く、ブランクＷは人為的又自動的にダイス６上に給送され、そして、図２の如く、先ず上型装置１のブランクホルダー２が下降し、ブランクＷをブランクホルダー２とダイス６とで挟持し、次いで、この挟持状態において、上型装置１のポンチ４が下降し、図３の如く、プレス絞り加工が完了することになり、そして、加工完了後、先ずポンチ４が上昇したのち、ブランクホルダー２が上昇し、この絞り加工された半製品は取り出され、他の打ち抜き金型装置に移送され、所定形状に打ち抜き加工されることになる。
【００２５】
従って、上記ポンチ４の絞り加工降下時に、ブランクＷを上記ポンチ４と加工用穴部７内の液体Ｅとで適正圧力で挟圧した状態でプレス絞り加工を行うことができ、ブランクＷの割れ、しわ、絞り傷の発生を抑制することができ、複雑な形状の絞り加工を行うことができ、例えば、コーナー半径の小さなシンクを焼鈍せずに一回若しくは多くとも二回の絞り加工で絞ることができ、それだけ、加工生産性を高めることができ、半製品受け渡しのための付随設備も必要となり、設備コストの低減及び設置スペースの省スペース化を図ることができる。
【００２６】
又、この場合、これらプレス絞り加工おいて、図４乃至図８の如く、上記シンクの深さ、該シンクのコーナー半径及びシンクの板厚をそれぞれｄ、ｒ及びｔとしたとき、下記（ａ）〜（ｄ）の関係式
３＜（ｄ／ｒ）＜５・・・・・・（ａ）
１５０ｍｍ≦ｄ≦２１０ｍｍ・・（ｂ）
４０ｍｍ＜ｒ・・・・・・・・・（ｃ）
０．５ｍｍ≦ｔ≦１．２ｍｍ・・（ｄ）
を満足するように形成しているので、小さなコーナー半径ｒのシンクを製作することができ、それだけ、シンクの小型化の要請及びこれに相反するシンクの内容積の確保及び底面積の維持拡大の要望に十分応えることができると共にスクエアー感のある斬新なデザイン感を感得し得るシンクを製作することができ、さらに、これら関係式を満足する限りにおいて、複数回に分けて段階的に絞り加工したり、焼鈍せずに、一回若しくは多くとも二回のプレス絞り加工により製作することができ、それだけ、製作を容易に行うことができて製作コストの低減を図ることができる。
【００２７】
この際、上記シンクの材質として、ＪＩＳ  Ｇ  ４３０５  ＳＵＳ３０４を用いることにより、固有の材質の特性から、矩形、異形と称されるような形態が複雑なシンクを焼鈍せずに一回若しくは多くとも二回のプレス絞り加工により容易に製作することができる。
【００２８】
又、この場合、上記クッション機構８は液圧シリンダ構造からなるので、クッション機構８の構造を簡素化することができ、製作コストを低減することができる。
【００２９】
図９の第二形態例は別例構造を示し、この場合、クッション機構８として、ダイホルダー９内にシリンダ孔１０・１０を複数個、この場合二個形成し、各シリンダ孔１０・１０にシリンダ１１・１１を液密に上下摺動自在に設け、絞り加工用穴部７及びシリンダ１１・１１により液体Ｌ、この場合水を封入可能な液圧室Ｅを形成し、このシリンダ１１・１１の下方に液圧シリンダ機構１２、この場合油圧シリンダ機構を配設し、ロッド１２ａ及びシリンダ部１２ｂからなる液圧シリンダ機構１２のロッド１２ａ上にクッションパッド１３を配置し、クッションパッド１３とシリンダ１１・１１の間にクッションピン１４を介在して構成している。
【００３０】
この第二形態例にあっても、上記第一形態例と同様な作用効果を得ることができる。
【００３１】
尚、本発明は上記実施の形態例に限られるものではなく、上型装置１、ブランクホルダー２、ポンチ４、下型装置５、ダイス６、クッション機構８の構造や形態等は適宜変更して設計される。
【００３２】
以上、所期の目的を充分達成することができる。
【図面の簡単な説明】
【００３３】
【図１】本発明の実施の第一形態例の説明縦断面図である。
【図２】本発明の実施の第一形態例の説明縦断面図である。
【図３】本発明の実施の第一形態例の説明縦断面図である。
【図４】本発明の実施の第一形態例のシンクの平面図である。
【図５】本発明の実施の第一形態例のシンクの斜視図である。
【図６】本発明の実施の第一形態例のシンクの部分縦断面図である。
【図７】本発明の実施の第一形態例のシンクの部分平面図である。
【図８】本発明の実施の第一形態例のシンクの深さ、コーナー半径の関係説明図である。
【図９】本発明の実施の第二形態例の説明縦断面図である。
【符号の説明】
【００３４】
Ｗ    シンク（ブランク）
ｄ    深さ
ｔ    板厚
ｒ    コーナー半径
Ｌ    液体
Ｅ    液圧室
１    上型装置
２    ブランクホルダー
３    ポンチ挿入穴部
４    ポンチ
５    下型装置
６    ダイス
７    絞り加工用穴部
８    クッション機構
【図１】
2006035273.tif 000003
【図２】
2006035273.tif 000004
【図３】
2006035273.tif 000005
【図４】
2006035273.tif 000006
【図５】
2006035273.tif 000007
【図６】
2006035273.tif 000008
【図７】
2006035273.tif 000009
【図８】
2006035273.tif 000010
【図９】
2006035273.tif 000011